(57)【要約】【課題】利用者の身長が低い場合は自動検知し、又は利用者が操作パネルから選択操作することによって媒体挿入口の挿入角度を変更することにより、媒体の投入や取り出しを容易にし、利用者が操作しやすい自動取引装置を提供する。【解決手段】取引媒体を挿入する媒体挿入口２と、前記媒体挿入口２の挿入角度を変更する入力操作を行う操作パネル１０３と、利用者の身長を検知する利用者検知センサＳＣ３、ＳＣ４、ＳＣ５と、前記操作パネル１０３の入力操作又は前記利用者検知センサＳＣ３、ＳＣ４、ＳＣ５の検知結果により前記媒体挿入口の挿入角度を変更する制御手段によって媒体挿入口の挿入角度を変更する。【選択図】  図５
2005043950.tif 000002
【特許請求の範囲】
【請求項１】
取引媒体を挿入する媒体挿入口と、
前記媒体挿入口の挿入角度を変更する操作を行う操作手段と、
前記操作手段の操作により前記媒体挿入口の挿入角度を変更する制御手段と、
を有することを特徴とする自動取引装置。
【請求項２】
取引媒体を挿入する媒体挿入口と、
利用者の身長を検知する利用者検知手段と、
前記利用者検知手段の検知結果により前記媒体挿入口の挿入角度を変更する制御手段と
を有することを特徴とする自動取引装置。
【請求項３】
取引媒体を挿入する媒体挿入口と、
前記媒体挿入口の挿入角度を変更する操作を行う操作手段と、
利用者の身長を検知する利用者検知手段と、
前記操作手段の操作又は前記利用者検知手段の検知結果により前記媒体挿入口の挿入角度を変更する制御手段と
を有することを特徴とする自動取引装置。
【請求項４】
前記利用者検知手段は、
当該自動取引装置を利用する利用者が操作可能な位置まで近接していることを検知する第１の検知手段と、
この第１の検知手段が前記利用者を検知したときの前記利用者の身長を検知する第２の検知手段とを有し、
前記制御手段は、前記第１の検知手段及び前記第２の検知手段の検知結果によって利用者の身長が所定値に満たないとき、前記媒体挿入口の挿入角度を変更することを特徴とする請求項２又は請求項３に記載の自動取引装置。
【請求項５】
前記媒体挿入口は、
前記媒体挿入口の挿入角度を変更するための媒体挿入口駆動モータと、
前記媒体挿入口駆動モータによって回動される前記媒体挿入口の挿入角度を検知する回動角検知センサとを有し、
前記制御手段は、前記操作手段によって前記媒体挿入口の挿入角度の変更が選択指示されたとき、前記回動角検知センサによって所定の角度が検知されるまで前記媒体挿入口の挿入角度を前記媒体挿入口駆動モータによって回動することを特徴とする請求項１又は請求項３に記載の自動取引装置。
【請求項６】
前記媒体挿入口は、
前記媒体挿入口の挿入角度を変更するための媒体挿入口駆動モータと、
前記媒体挿入口駆動モータによって回動される前記媒体挿入口の挿入角度を検知する回動角検知センサとを有し、
前記制御手段は、前記利用者検知手段の検知結果により前記媒体挿入口の挿入角度の変更が指示されたとき、前記回動角検知センサによって所定の角度が検知されるまで前記媒体挿入口の挿入角度を前記媒体挿入口駆動モータによって回動することを特徴とする請求項２又は請求項４に記載の自動取引装置。
【請求項７】
前記媒体挿入口の挿入角度は、
前記媒体挿入口の挿入角度を変更する操作を行う操作手段、又は利用者検知手段の検知結果により前記媒体挿入口の挿入角度を水平面に対して下方又は上方に所定の角度変更可能であることを特徴とする請求項１乃至請求項６に記載の自動取引装置。
【発明の詳細な説明】
【０００１】
【発明の属する技術分野】
本発明は、車椅子利用者又は身長の低い利用者が操作しやすいように例えば通帳、カードなどの媒体挿入口の挿入角度を変更可能にした自動取引装置に関する。
【０００２】
【従来の技術】
近年、自動取引装置が多様化している。
【０００３】
従来の自動取引装置は、利用者が立った状態で操作することを前提に設計されており、利用者が立った状態で手が届く範囲にカードユニット、通帳・冊子類取扱ユニット、操作パネル、紙幣ユニット及び硬貨ユニットなどが配置される。また、操作パネルは、操作性の観点からこの自動取引装置の概略水平なテーブル面に配置され、他のユニットはこのテーブル面の垂直面に配置される。例えば、紙幣ユニット及び硬貨ユニットは垂直面の下部に配置され、カードユニット及び通帳・冊子類ユニットは垂直面の上部に配置される。この結果、カードユニット及び通帳・冊子類ユニットは操作する部分としては最上部に配置されることになる。
【０００４】
このような配置の結果、健常者の操作性をよくすると身長の低い利用者及び車椅子を利用する身体障害者には操作しずらいという問題があった。この問題を解決するための方法としてテーブルの床面からの高さを上下に移動可能にすると共にテーブル面に配置した操作表示部の取り付け角度を変化させる方法が知られている（例えば、特許文献１参照。）。
【０００５】
【特許文献１】
特開平１０−４０４４０号公報（第１頁、図１）
【０００６】
【発明が解決しようとする課題】
しかしながら特許文献１記載の自動機では、車椅子を利用する身体障害者によるテーブル面に配置された操作表示部（操作パネル）の操作性は改善されるが、通帳・冊子類取扱ユニット、カードユニットでの媒体挿入又は媒体抜き取りなどの媒体操作性は改善されないという問題があった。
【０００７】
そこでこの発明は、利用者の身長が低い場合は自動検知し、又は利用者が操作パネルから選択操作することによって媒体挿入口の挿入角度を変更することにより、車椅子利用者又は身長の低い利用者が操作しやすい自動取引装置を提供することを目的とする。
【０００８】
【課題を解決するための手段】
本発明は上記目的を達成するために、請求項１記載の発明は、取引媒体を挿入する媒体挿入口と、前記媒体挿入口の挿入角度を変更する操作を行う操作手段と、前記操作手段の操作により前記媒体挿入口の挿入角度を変更する制御手段とを有することを特徴とする。
【０００９】
また、請求項２記載の発明は、取引媒体を挿入する媒体挿入口と、利用者の身長を検知する利用者検知手段と、前記利用者検知手段の検知結果により前記媒体挿入口の挿入角度を変更する制御手段とを有することを特徴とする。
【００１０】
さらに、請求項３記載の発明は、取引媒体を挿入する媒体挿入口と、前記媒体挿入口の挿入角度を変更する操作を行う操作手段と、利用者の身長を検知する利用者検知手段と、前記操作手段の操作又は前記利用者検知手段の検知結果により前記媒体挿入口の挿入角度を変更する制御手段とを有することを特徴とする。
【００１１】
【発明の実施の形態】
以下、本発明の実施の形態について図面を参照して説明する。図１は、本発明の実施の形態に係る媒体挿入又は媒体抜き取りなどの媒体操作性を改善した通帳・冊子類取扱ユニット１０１を搭載した自動取引装置９９の外観図である。
【００１２】
自動取引装置９９は、カードユニット１００、通帳・冊子類取扱ユニット１０１、紙幣を入出金するための紙幣ユニット１０２、操作パネル１０３、硬貨を入出金するための硬貨ユニット１０４、顧客検知センサ１０６、及びこれらの各ユニットと相互に通信を行い、自動取引装置９９を制御する総合制御部（図示しない）から構成される。
【００１３】
次に、図２乃至図４を参照して通帳・冊子類取扱ユニット１０１の構成を説明する。図２は、本発明の実施の形態に係る媒体挿入又は媒体抜き取りなどの媒体操作性を改善した通帳・冊子類取扱ユニット１０１の概略側断面図である。図３は通帳・冊子類取扱ユニット１０１で使用される通帳の一例で、図４は当該ユニットで使用される払込書の一例である（詳細は後述する）。
【００１４】
通帳・冊子類取扱ユニット１０１は、通帳１５又は払込書１８からなる媒体１４の出入口である媒体挿入口２と、この媒体挿入口２から挿入された媒体１４を図示矢印Ａ方向に搬送する主搬送路４０を有している。そして、この主搬送路４０に沿って媒体挿入口２から、磁気リード・ライト部３及び通帳収納部４、通帳ページ捲り・幅寄せ部５、ＰＬＤ検知部６、文字認識用ＯＣＲスキャナ部７、印字部８、及び払込書１８を収納する上段払込書収納庫９及び下段払込書収納庫１０とが配置されている。さらに、これらを制御する主制御部１０５と、媒体を挟持して搬送するための複数の搬送ローラと、電源部（図示しない）とで構成される。
【００１５】
媒体挿入口２は、上述したように通帳１５又は払込書１８が挿入又は排出されるところである。
【００１６】
磁気リード・ライト部３は、磁気ヘッド３ａ、磁気ヘッドドライバ（図示しない）、及び通帳押さえローラ（図示しない）で構成されており、磁気ヘッド３ａと通帳押さえローラで搬送される通帳の磁気ストライプ部を押圧し、通帳１５の磁気ストライプ１６を磁気ヘッド３ａに接触させ、磁気ストライプ１６の磁気データをリード／ライトする。このようにして読み取られた磁気データは、通帳・冊子類取扱ユニット１０１の主制御部１０５へ通知される。
【００１７】
通帳ページ捲り・幅寄せ部５は、ページ捲り機構と幅寄せ機構から構成される。通帳ページ捲り機構は、通帳に印字するための印字行が同一ページに不足した場合に自動的にページ捲りを行う。また、幅寄せ機構は、通帳１５の位置ずれによる磁気ストライプの誤読、誤書き込みが発生するのを防止するため、搬送される通帳１５を片側に幅寄せ整位する。
【００１８】
ＰＬＤ検知部６は、ＬＥＤ照明とモノクロＣＣＤ（ラインセンサ）からなり、搬送される通帳端部に印刷されている通帳のページマーク１７、印字済行、及び印字濃度を読み取る。また、通帳のページマーク１７のページデータと、上記磁気ストライプ１６から読み取った磁気データ内のページデータとから現在開いている通帳のページを判別し通帳・冊子類取扱ユニット１０１の主制御部１０５へ通知する。
【００１９】
文字認識用ＯＣＲスキャナ部７は、照明部とカラーＣＣＤ（ラインセンサ）からなり、搬送される通帳１５又は払込書１８のイメージデータを読み取り、その読み取ったデータを通帳・冊子類取扱ユニット１０１の主制御部１０５へ通知する。
【００２０】
上段払込書収納庫９及び下段払込書収納庫１０は、媒体処理の終了した払込書１８が収納される所である。
【００２１】
通帳・冊子類取扱ユニット１０１の主制御部１０５は、制御部であるＣＰＵ、データ処理回路、メモリー、及び上記各構成ユニットとのＩ／Ｆ（インターフェース）で構成され、ＣＰＵは帳票・冊子類取扱ユニット１０１の全体的な制御、及び各種の演算処理を実行し、この演算処理結果を自動取引装置９９の総合制御部（図示しない）に伝送する。
【００２２】
総合制御部は、カードユニット１００、帳票・冊子類取扱ユニット１０１、紙幣ユニット１０２、操作パネル１０３及び硬貨ユニット１０４と相互に通信を行い、自動取引装置９９を制御する。また、この総合制御部は、図示していない外部とのＩ／Ｆを有し、外部との通信を行う。
【００２３】
なお、帳票・冊子類取扱ユニット１０１で使用される媒体には複数種類の通帳及び払込書が存在する。そこで、本発明の実施の形態で使用する媒体の一例を図３及び図４を参照して説明する。通帳には綴じ目が縦方向の縦通帳と、綴じ目が横方向の横通帳が存在するが、図３は縦通帳１５の一例である。上述した縦通帳１５の下端には通帳のページを示すページマーク１７が印刷され、さらに裏表紙には磁気ストライプ１６が貼り付けられている。
【００２４】
また、本発明の実施の形態に係る払込書１８の一例を図４を参照して説明する。払込書１８には払込先の口座番号２８ａ、２８ｂ、金額２９ａ、２９ｂ、加入者名及び払込人住所氏名３１ａ、３１ｂなどの払い込みに必要な情報が手書き又は印刷によって書き込まれている。
【００２５】
次に、通帳・冊子類ユニット１０１での媒体挿入又は媒体抜き取りなどの媒体操作性を改善した媒体挿入口２の実施の形態を図５乃至図９を参照して説明する。
【００２６】
図５は、本発明の実施の形態に係わる媒体挿入口２を備えた自動取引装置９９を車椅子利用者６０が利用する場合の操作状態を示す。図５に示すように、通帳冊子類ユニット１０１の媒体挿入口２は床面から１１００ｍｍの位置に配置され、顧客検知センサ１０６は１２００ｍｍの位置に配置される。また、このように構成された自動取引装置９９の媒体挿入口２の高さは、対象とする身長１５００ｍｍの標準体型の車椅子利用者６０からは図５に示すように媒体挿入口２が見えずらい。すなわち、床面から目元までの高さが１１００ｍｍ以下の場合は媒体挿入口２が目元より上になるため見えにくくなる。そこで、媒体挿入口２の挿入角を下側に傾けることによって無理なく操作可能になる。当然、１５００ｍｍ以上の身長を有する標準体型の車椅子利用者はさらに操作が容易になる。
【００２７】
このようなシミュレーションの結果、床面から頭頂までの高さが概略１２００ｍｍ以下の車椅子利用者は媒体挿入口２の挿入角を下側に傾けることによって操作性が改善される。すなわち、床面から頭頂までの高さが概略１２００ｍｍ以下のときの床面から目元までの高さは１１００ｍｍ以下となり、健常者、車椅子利用者に係わらず媒体挿入口２が見えにくく操作性が悪い。従って、この場合は媒体挿入口２の挿入角を下側に傾けることによって操作性が改善される。反対に、身長が概略１２００ｍｍ以上であれば媒体挿入口２の挿入角度を下側に傾けなくとも操作性は保たれる。なお、ここで言う身長とは、床面から頭頂までの高さを定義しており、車椅子利用者の場合は、車椅子に乗った状態での床面から頭頂までの高さのことであり、以下においても同様である。
【００２８】
利用者検知手段である顧客検知センサ１０６は、図示矢印Ｂ１方向の利用者を検知する第１の検知手段である利用者検知センサＳＣ３と、上述した床面から頭頂までの高さが概略１２００ｍｍ以上の利用者を検知するために図示矢印Ｂ２方向の利用者を検知する第２の検知手段である利用者検知センサＳＣ４から構成される。
【００２９】
利用者検知センサＳＣ３は、自動取引装置９９に接近する利用者を検知する。従って、健常者又は車椅子利用者の何れの利用者も検知される。また、利用者検知センサＳＣ４は、図示矢印Ｂ２を遮る利用者を検知する。従って、上述した車椅子利用者６０、又は健常者で身長が１２００ｍｍ以下の利用者は検知されない。
【００３０】
ここで、操作パネル１０３は、健常者のみならず図５に示すように車椅子利用者６０にも操作可能である。
【００３１】
次に、図６（Ａ）及び図６（Ｂ）を参照して本発明の実施の形態に係る媒体挿入口２の構成を説明する。
【００３２】
図６（Ａ）は、媒体挿入口２の概略側断面図である。媒体挿入口２は、媒体１４を挿入又は排出するための出入口で、媒体１４の搬送を制御する搬送制御部、媒体挿入口２の挿入角度を回動する角度制御部、及び媒体挿入角度を検知する挿入角検知部から構成され、接客面２０の開口部に露出して配置される。また、これらの各制御部は通帳・冊子類取扱ユニット１０１の主制御部１０５によって制御される。
【００３３】
搬送制御部は、媒体１４を挟持して正逆回転可能な第１駆動ローラ５０ａ及びこの第１駆動ローラの対向位置に配置されたピンチローラ５０ｂ、媒体を検知する媒体検知センサＳＣ１、シャッタ２７、媒体検知センサＳＣ２、第２駆動ローラ５１ａ及びこの第２駆動ローラ５１ａの対向位置に配置されたピンチローラ５１ｂから構成される。そして、媒体挿入口２側から奥に向かって順に配置され、媒体１４の挿入又は排出を制御する。
【００３４】
角度制御部は、媒体挿入口２を所定角度上下に回動するための媒体挿入口駆動モータ２４、この媒体挿入口駆動モータ２４の動力を伝達するための歯車２３及び歯車２２、この歯車２２の動力を伝達し媒体挿入口２を回動するために内側に歯車を有するラック２１から構成される。そして、媒体挿入口２を所定角度回動する。
【００３５】
挿入角検知部は、媒体挿入口駆動モータ２４による媒体挿入口２の回転角度を検知するために媒体挿入口２と一体になって回動する遮光板２５、及びこの遮光板２５を検知する回動角検知センサ２６から構成される。そして、この回動角検知センサ２６によって遮光板２５が検知されると媒体挿入口２を上下に回動する媒体挿入口駆動モータ２４が停止し媒体挿入口２の媒体挿入角が設定される。
【００３６】
以上のように構成された媒体挿入口２は、媒体１４の挿入方向と図示矢印Ａで示すほぼ水平な搬送方向とが平行な状態を示しており、上述したように床面から１１００ｍｍに配置される（図５参照）。この高さは、健常者又は車椅子利用者の床面から目元までの高さが概略１１００ｍｍ以上の利用者が通帳・冊子類ユニット１０１を操作する場合に好適であり、媒体挿入角度もほぼ水平な０°である。
【００３７】
一方、図６（Ｂ）は、媒体１４の挿入方向が図示矢印Ａで示すほぼ水平な搬送方向に対して下側に２０°傾斜した媒体挿入口２の概略断面図である。なお、その構成は図６（Ａ）と同様である。この場合、健常者又は車椅子利用者の床面から目元までの高さが１１００ｍｍ          未満の利用者が通帳・冊子類取扱ユニット１０１を操作する場合に好適である。
【００３８】
次に、このように構成された媒体挿入口２の動作を図７〜図９のフローチャートを参照して制御手段を説明する。なお、以下の制御は通帳・冊子類取扱ユニット１０１の主制御部１０５によって制御される。
【００３９】
図７は、媒体挿入口２の媒体挿入口を制御する処理フローチャートである。利用者が自動取引装置９９に接近すると顧客検知センサ１０６の利用者検知センサＳＣ３が利用者を検知する（Ｓ１のＹｅｓ）。
【００４０】
利用者が検知されると、利用者検知センサＳＣ４によって利用者が図５の図示矢印Ｂ２の方向を遮っているかどうかによって利用者の身長が検知される。身長が１２００ｍｍ未満の場合（Ｓ２のＹｅｓ）、挿入口変更フラグに“１”を設定し（Ｓ３）、媒体挿入口２を下側に回動するための挿入口制御１サブルーチン処理を実行する（Ｓ４）。
【００４１】
一方、身長が１２００ｍｍ以上の場合（Ｓ２のＮｏ）、操作パネル１０３のタッチ式表示部に「媒体挿入口の角度を下側に変更しますか」の案内表示が行われる。この案内表示に基づいて利用者が「はい」を選択すると（Ｓ５のＹｅｓ）、挿入口変更フラグに“１”を設定し（Ｓ３）、媒体挿入口２を下側に回動するための挿入口制御１サブルーチン処理を実行する（Ｓ４）。これは、身長は１２００ｍｍ程度と比較的低い場合に、利用者が媒体挿入口２の挿入角度の変更を希望するときは挿入角度を変更できるようにするものである。
【００４２】
また、「媒体挿入口の角度を下側に変更しますか」の案内表示に基づいて利用者が「いいえ」を選択すると（Ｓ５のＮｏ）、利用者が利用目的に応じて通帳取引処理又は払込書取引処理などを行う（Ｓ６）。
【００４３】
次に、通帳取引処理又は払込書取引処理が終了し返却媒体がある場合（Ｓ７のＹｅｓ）、挿入口変更フラグに“１”が設定されているかどうか検査する（Ｓ８）。この挿入口変更フラグに“１”が設定されている場合は媒体挿入口２を下側に回動して通帳又は払込書を取り込んで処理を行ったので、通帳など返却媒体がある場合、媒体挿入口２を再度下側に回動して媒体を返却するため挿入口制御２サブルーチン処理を実行し利用客に媒体を返却する（Ｓ９）。
【００４４】
次に、上記媒体挿入に係る挿入口制御１サブルーチン処理を図８を参照して説明する。まず最初に、媒体挿入口２を下側に回動する（Ｓ１１）。この回動に伴う媒体挿入角は、媒体挿入口２の回動に伴ってこれと一体に回動する遮光板２５を回動角検知センサ２６が検知したときに回動を停止することによって設定される。本実施の形態ではこの角度を２０°に設定した場合が好適でありこの状態を図６（Ｂ）に示す。
【００４５】
次に、媒体検知センサＳＣ１が暗になるまで媒体１４の挿入検知を行う（Ｓ１２）。媒体検知センサＳＣ１が暗になれば、媒体検知センサＳＣ１の挿入方向上流にある第１駆動ローラ５０ａ及び第１ピンチローラ５０ｂに媒体１４が挟持された状態にある。また、媒体検知センサＳＣ１の挿入方向下流に配置されたシャッタ２７によってさらに奥まで挿入されるのを防止する。
【００４６】
次に、媒体１４を挟持した状態で、媒体挿入角２０°を０°に戻す（挿入角を水平にする）（Ｓ１３）。この状態で媒体挿入口２は水平になる。
【００４７】
媒体挿入口２を水平に戻した後に、シャッタ２７を開き（Ｓ１４）、媒体１４を取り込む（Ｓ１５）。この結果、媒体１４は図示矢印Ａで示す方向に取り込まれ媒体の処理が行われる。
【００４８】
次に、媒体の処理終了後、上記媒体排出に係わる挿入口制御２サブルーチン処理を図９を参照して説明する。最初に、媒体検知センサＳＣ２が暗になるまで媒体１４を返却方向に搬送する（Ｓ２０のＮｏ）。媒体検知センサＳＣ２が暗になり、媒体検知センサＳＣ２によって媒体１４が検知されると（Ｓ２０のＹｅｓ）、シャッタ２７を開く（Ｓ２１）。
【００４９】
次に、媒体検知センサＳＣ２が明になるまで媒体１４をさらに返却方向に搬送する。媒体検知センサＳＣ２が明になると、媒体１４の後端が媒体検知センサＳＣ２を通過したのでシャッタ２７を通過するまでの所定量をさらに排出した後に搬送を停止する（Ｓ２３）。このとき、媒体４の後端はシャッタ２７と媒体検知センサＳＣ１の間で停止し、第１駆動ローラ５０ａと第１ピンチローラ５０ｂに挟持された状態となる。この状態で、シャッタ２７が閉じられる（Ｓ２４）。
【００５０】
次に、媒体挿入口２を下側に回動（Ｓ２５）し、利用客によって媒体１４が抜き取られ媒体検知センサＳＣ１が明になるまで監視する（Ｓ２６）。
【００５１】
その後、媒体１が利用客によって抜き取られ媒体検知センサＳＣ１が明になると（Ｓ２６の明）、媒体挿入口２を回動し媒体挿入角を０°にする（元に戻す）（Ｓ２７）。
【００５２】
（変形例）
次に、本発明の実施の形態の変形例として、媒体挿入口を上側に回動する場合の例を説明する。所定の身長を超す利用者を検知するための利用者検知センサＳＣ５、及び操作パネル１０３のタッチ表示部に「媒体挿入口の角度を上側に変更しますか」の案内表示を追加する。利用者検知センサＳＣ５は、図示矢印Ｂ３方向の利用者を検知するセンサである。例えば１８００ｍｍ以上の身長を有する利用者が検知される。図７乃至図９で説明した媒体挿入口２を下側に回動する制御手段は同様の方法を用いて、媒体挿入口２を上側に回動することができる。図７に示す媒体挿入口制御処理フローチャートに、上記上側に回動する処理を追加した場合のフローチャートを図１０に示す。なお、図１０の挿入口制御３サブルーチンは、挿入口制御３の動作（Ｓ３２）は、図８に示す挿入口制御１のステップＳ１１で、「挿入口を下側に」の部分を「挿入口を上側に」と読み替えたサブルーチンと同様であるためその説明を省略する。
【００５３】
この場合は、利用者の身長が１８００ｍｍ以上の場合、又は利用者が操作パネル１０３から媒体挿入口２を上側にする指示を行った場合は媒体挿入口２が上側回動する。
【００５４】
上述した実施の形態は、自動取引装置の通帳・冊子類取扱ユニットの媒体挿入口に適用した例を説明したが、これに限るものではなく当該装置のカードユニットの媒体挿入口にも同様に適用することによって媒体操作性が改善される。
【００５５】
以上説明したように、上記実施の形態によれば身長の自動検知によるか、又は利用者が操作パネルから操作するかによって媒体挿入口を斜め下方に傾けて媒体を斜め下から投入したり取り出したりすることができるため、車椅子利用者又は身長の低い利用者が操作しやすい自動取引装置を提供できる。
【００５６】
【発明の効果】
以上説明したように本発明によれば、利用者が操作パネルから操作するか、又は身長の自動検知によって媒体挿入口の挿入角度を変更することにより、利用者が操作しやすい自動取引装置を提供できる。
【図面の簡単な説明】
【図１】本発明の実施の形態に係わる通帳・冊子類取扱ユニットを搭載した自動取引装置の外観図。
【図２】本発明の実施の形態に係わる通帳・冊子類取扱ユニットの構成図。
【図３】本発明の実施の形態に係わる縦通帳を示す図。
【図４】本発明の実施の形態に係わる払込書を示す図。
【図５】本発明の実施の形態に係わる媒体挿入口を備えた自動取引装置を車椅子利用者が利用する場合の操作状態を示す図。
【図６】本発明の実施の形態に係わる媒体挿入口の概略側断面図。
【図７】本発明の実施の形態に係わる媒体挿入口制御処理フローチャート。
【図８】媒体挿入口制御処理フローチャートの媒体挿入に係わる挿入口制御１サブルーチン。
【図９】媒体挿入口制御処理フローチャートの媒体排出に係わる挿入口制御２サブルーチン。
【図１０】本発明の実施形態に係わる媒体挿入口制御処理フローチャートの変形例。
【符号の説明】
ＳＣ１、ＳＣ２  媒体検知センサ
ＳＣ３、ＳＣ４、ＳＣ５  利用者検知センサ
２  媒体挿入口
３  磁気リード・ライト部
４  通帳収納部
５  通帳ページ捲り・幅寄せ部
６  ＰＬＤ検知部
７  文字認識用ＯＣＲスキャナ部
８  印字部
９  上段払込書収納庫
１０  下段払込書収納庫
１４  媒体
２０  接客パネル
２１  ラック
２４  媒体挿入口駆動モータ
２５  遮光板
２６  回動角検知センサ
２７  シャッタ
５０ａ  第１駆動ローラ
５０ｂ  第１ピンチローラ
５１ａ  第２駆動ローラ
５１ｂ  第２ピンチローラ
６０  車椅子利用者
９９  自動取引装置
１００  カードユニット
１０１  帳票・冊子類取扱ユニット
１０３  操作パネル
１０５  主制御部
１０６  顧客検知センサ
【図１】
2005043950.tif 000003
【図２】
2005043950.tif 000004
【図３】
2005043950.tif 000005
【図４】
2005043950.tif 000006
【図５】
2005043950.tif 000007
【図６】
2005043950.tif 000008
【図７】
2005043950.tif 000009
【図８】
2005043950.tif 000010
【図９】
2005043950.tif 000011
【図１０】
2005043950.tif 000012